(57)【特許請求の範囲】
【請求項１】
シート状の物品を収納する略直方体の配送用ケースであって、
底部、
前記ケースの側面をなす、相対向する第１板部および第２板部、
前記ケースの側面をなし、前記第１板部および前記第２板部に接続する、相対向する第３板部および第４板部、並びに、
枠体の内側に設けられ、前記枠体の内側を複数の収納室に区切る仕切壁
を有するプラスチック製の枠体と、
プラスチック製の蓋部材と、
を備え、
前記枠体および前記仕切壁の頂部の高さは略同一であり、
前記蓋部材は、前記枠体の頂部および前記仕切壁の頂部に対して接着または溶着によって固定され、
前記第１板部、前記第２板部、前記第３板部、前記仕切壁、および前記底部は、第１の収納室を構成し、
前記第１板部、前記第２板部、前記第４板部、前記仕切壁、および前記底部は、第２の収納室を構成し、
前記第１の収納室および前記第２の収納室をまたがる、前記第１の収納室および前記第２の収納室より大きな第３の収納室が構成される
配送用ケース。
【請求項２】
前記仕切壁は、前記第１板部および前記第２板部の間に前記第１板部および前記第２板部と垂直に設けられる請求項１に記載の配送用ケース。
【請求項３】
前記蓋部材は、前記第１板部、前記第２板部、前記第３板部、前記第４板部、および前記仕切壁と接する請求項１または２に記載の配送用ケース。
【請求項４】
前記第１の収納室および前記第２の収納室は、略同一の大きさである請求項１から３のいずれか一項に記載の配送用ケース。
【請求項５】
前記仕切壁は、前記第１板部の略中間部および前記第２板部の略中間部に設けられる請求項１から４のいずれか一項に記載の配送用ケース。
【請求項６】
前記仕切壁は、前記枠体の内側における前記第１板部および前記第２板部のそれぞれに相対向するように設けられる請求項１から５のいずれか一項に記載の配送用ケース。
【発明の詳細な説明】
【技術分野】
【０００１】
本発明は、写真、チラシ等を郵送、宅配便等で配送する配送ケースに関する。
【背景技術】
【０００２】
従来は、写真を配送する場合には紙の厚い封筒に写真をいれ、厚紙でカバーして配送するケースが多かった。また写真を薄いビニール、ポリエチレンシートのような袋に入れられ、その写真が入れられたものを封筒に入れられて配送していた。
【０００３】
しかしながら、写真をビニール、ポリエチレンシートのような袋に入れて、その写真入りの袋を封筒に入れるのに二重に袋を用いるのに手間がかかった。そこで、特許文献１及び２のように直接透明なケースに写真を収納して郵送することも考えられた。
以下、図１２、図１３に基づいて特許文献１及び２を説明する。
【０００４】
図１２は封筒一体型クリアファイルの斜視図である。印刷物である絵柄は封筒一体型クリアファイル表面の裏面から印刷している。封筒一体型クリアファイルの左板部（ｃ）は山折になっており、底板部は圧着されている。そのため左板部（ｃ）と底板部（ｂ）は閉じた状態になっている。上板部(a)と右板部（ｄ）は開口しており、ここから書類等をはさんで使用するものである。
【０００５】
図１３は本考案の配送ケースは、収納部２１、該収納部２１の端部で軸着されて収納部２１をカバーする蓋２２からなる。上記収納部２１は浅い箱状であり、そのサイズは複数枚の横長のスナップ写真を収納するのに適したサイズ、例えば、手札サイズ又はサービスサイズの写真のサイズが約８０〜９５ｍｍ×１１５〜１３０ｍｍであるので、この収納部の内寸法は該サイズとほぼ同じ又は幾分大きいサイズであることが示されている。
【０００６】
【特許文献１】実用新案登録３１０６９４７号公報
【特許文献２】実用新案登録３０２９３７０号公報
【発明の開示】
【発明が解決しようとする課題】
【０００７】
しかしながら、写真プリントには名刺サイズ、サービスサイズ、手札サイズ、集合写真、風景写真のようなパノラマ写真を撮影した横長サイズ等の種々のサイズが存在する。特許文献１は写真を透明な袋に挿入して郵送できるが、写真の大きさが種々ある場合については考慮されていなかった。
【０００８】
特許文献２は、写真を収納して郵送に用いるのであるが、その収納する写真の大きさについて以下のように記載されている。例えば、手札サイズ又はサービスサイズの写真のサイズが約８０〜９５ｍｍ×１１５〜１３０ｍｍであるので、この収納部の内寸法は該サイズとほぼ同じ又は幾分大きいサイズであり、３６枚撮りのフィルムから現像したプリント全部が収納できるように、収納部の深さは約１０〜１６ｍｍが好ましいと記載されている。しかし、手札サイズとサービスサイズのサイズを収納部に収納することを述べているだけでどのように収納するかについて述べられていなく、バラバラに収納すると中で写真が動いて郵送中に傷つくおそれもある。
【課題を解決するための手段】
【０００９】
本発明の第１の形態によれば、シート状の物品を収納する略直方体の配送用ケースであって、底部、前記ケースの側面をなす、相対向する第１板部および第２板部、前記ケースの側面をなし、前記第１板部および前記第２板部に接続する、相対向する第３板部および第４板部、並びに、枠体の内側に設けられ、前記枠体の内側を複数の収納室に区切る仕切壁を有するプラスチック製の枠体と、プラスチック製の蓋部材と、を備え、前記枠体および前記仕切壁の頂部の高さは略同一であり、前記蓋部材は、前記枠体の頂部および前記仕切壁の頂部に対して接着または溶着によって固定され、前記第１板部、前記第２板部、前記第３板部、前記仕切壁、および前記底部は、第１の収納室を構成し、前記第１板部、前記第２板部、前記第４板部、前記仕切壁、および前記底部は、第２の収納室を構成し、前記第１の収納室および前記第２の収納室をまたがる、前記第１の収納室および前記第２の収納室より大きな第３の収納室が構成される配送用ケースを提供する。
前記仕切壁は、前記第１板部および前記第２板部の間に前記第１板部および前記第２板部と垂直に設けられてよい。
前記蓋部材は、前記第１板部、前記第２板部、前記第３板部、前記第４板部、および前記仕切壁と接してよい。
前記第１の収納室および前記の第２収納室は、略同一の大きさであってよい。
前記仕切壁は、前記第１板部の略中間部および前記第２板部の略中間部に設けられてよい。
また、前記仕切壁は、前記枠体の内側における前記第１板部および前記第２板部のそれぞれに相対向するように設けられてよい。
【００１４】
前記枠体と前記蓋部材からなる収納ケースに仕切壁を設けることにより複数の収納室が設けられ、さらに複数の収納室をまたがり、単独の収納室より大きな収納室を設けることができる。
【発明の効果】
【００１５】
上述したように本発明の配送ケースは、前記枠体と前記仕切壁でもって構成される複数の収納室のそれぞれのサイズに合わせて写真のようなシート状の物品を収納することもでき、前記仕切壁と前記仕切壁の間隔を利用して複数の収納室をまたがり、収納室を組み合わせて先の物品よりも大きなシート状の物品を収納できる。シート状の物品として例えば、サービスサイズの写真、それより大きいパノラマサイズの写真を収納できる。また、複数の収納室を区切る仕切壁が設けられ、仕切壁の上部も蓋部材で固定されているので写真のようなシートが移動しないので運送中に傷つくことがない。
【発明を実施するための最良の形態】
【００１６】
以下、本発明の実施形態の第１の実施例を図１〜図８に基づいて説明する。
【００１７】
図１は本発明の配送ケースを郵送または宅配便で配送する場合の図を示す。
１は蓋部材を、２は切手を示し、蓋部材１には宛先、送付元等の送付記載事項が記載されている。また宅配便等では切手の代わりにバーコードシールが貼られる。
【００１８】
図２は切手２が貼られた、宛先、送付元等の送付記載事項が示された蓋部材１を示す。
【００１９】
図３は蓋部材１が接着、溶着等で固定される枠体３を示し、枠体３は前記底部と、第１の板部３Ａ、第２の板部３Ｂにそれぞれ直角に接続する第３の板部３Ｃ、第４の板部３Ｄとからなり略直方体を形成する。枠体３の内側の３Ａ、３Ｂのそれぞれの間に４、５で示す仕切壁が設けられ、所定の長さの仕切壁４は第１の板部３Ａの一部３ＡＸと他部３ＡＹの間に設けられ、仕切壁５は第２の板部３Ｂの一部３ＢＸと他部３ＢＹの間に設けられている。
【００２０】
第１の板部３Ａの一部３ＡＸと仕切壁４と仕切壁５と第２の板部３Ｂの一部３ＢＸと第３の板部３Ｃと底部６とで第１の収容室を構成し、第１の板部３Ａの他部３ＡＹと第４の板部３Ｄと第２の板部３Ｂの他部と仕切壁５と仕切壁４と底部６とで第２の収容室を構成する。
【００２１】
図４は図３におけるA−A断面を示し、第３の板部３Ｃの側部３ＣＨの頂部３ＣＴ、第４の板部３Ｄの側部３ＤＨの頂部３ＤＴと仕切壁４の頂部４Ｔの底部６からの高さは略等しい。
【００２２】
図５はシート状の物品Ｐ１、Ｐ２がそれぞれ第１の収容室と第２の収容室に積載されているのを示す。
【００２３】
図６は、第３の板部３Ｃの一部と仕切壁４と第４の板部３Ｄの一部と仕切壁５と底部６とで第３の収容室を構成し、図５のように２枚のシート状の物品が積載される代わりに１枚の大きなシート状の物品Ｐ３が積載されている図を示す。
【００２４】
図７ははじめにシート状の物品Ｐ１、Ｐ２を積載し、次にＰ３を積載した状態を示す。
【００２５】
図８は図５におけるＢ−Ｂ断面の図を示し、シート状の物品Ｐ１、Ｐ２が積載された状態を示す。
【００２６】
図９は本発明の第２の実施例を示し、仕切壁４、５を板部３Ａ、板部３Ｂの略中間に設け、それぞれ第１収容室と第２収容室が略同一の大きさである。図１０は図９のＣ−Ｃ断面図を示す。
【００２７】
第１の実施例、第２の実施例においても、収容したシート状の物品が第１の収容室と第２の収容室との間で移動しないように仕切壁４、５を設け、そして蓋部材１が枠体３に接着または溶着で固定する。また、仕切壁４と仕切壁の５の空間で第３の収容室を構成するので収容されるシート状の物品の大きさによって仕切壁４、５の長さ、仕切壁４、５の先端の間隔を決定する。
【００２８】
図１１はサイズの同一のシート状物品Ｐ１を第１の収納室と第２の収納室に収納し、その上にサイズの大きなシート状物品Ｐ３を第３収納室に収納した状態を示す。
本願によれば、以下の各項目に記載の構成もまた開示される。
（項目１）
相対向する第１、第２の板部と、第１、第２板部にそれぞれ接続する第３、第４の板部と底部とからなる枠体と蓋部材からなる略直方体の配送ケースで、前記相対向する板部に相対する仕切壁を前記板部に垂直にそれぞれ設けた配送ケース。
（項目２）
前記蓋部材は前記枠体の頂部と前記仕切壁の頂部に対して接着または溶着等によって固定される項目１に記載の配送ケース。
（項目３）
前記枠体と前記仕切壁のそれぞれの頂部の高さは略同一の高さである項目１に記載の配送ケース。
（項目４）
前記仕切壁はそれぞれ前記板部の略中央に配されている項目１に記載の配送ケース。
（項目５）
前記蓋部材、前記枠体はプラスチック材からなる項目１に記載の配送ケース。
【図面の簡単な説明】
【００２９】
【図１】本発明の配送ケースを郵送または宅配便で配送する場合の図。
【図２】蓋部材を示す図。
【図３】蓋部材が接着、溶着等で固定される枠体を示す図。
【図４】図３のＡ−Ａ断面図。
【図５】シート状の物品Ｐ１、Ｐ２がそれぞれ第１の収容室と第２の収容室に積載されている図。
【図６】第３の収容室にシート状の物品Ｐ３が積載されている図。
【図７】シート状の物品Ｐ１、Ｐ２、Ｐ３が積載されている図。
【図８】図５のＢ−Ｂ断面図。
【図９】本発明の第２の実施例を示し収容室１と収容室２が略同一の大きさである場合を示す図。
【図１０】図１０のＣ−Ｃ断面図。
【図１１】シート状の物品Ｐ１、Ｐ３が積載された図。
【図１２】特許文献１の代表図。
【図１３】特許文献２の代表図。
【符号の説明】
【００３０】
１  蓋部材
２  切手
３  枠体
３Ａ  第１の版部
３ＡＸ  １の板部３Ａの一部
３ＡＹ  第１の板部３Ａの他部
３Ｂ  第２の版部
３ＢＸ  第２の板部３Ｂの一部
３ＢＹ  第２の板部３Ｂの一部３ＢＸ他部
３Ｃ  第３の版部
３ＣＨ  ３Ｃの側部
３ＣＴ  ３ＣＨの頂部
３Ｄ  第４の版部
３ＤＨ  ３Ｄの側部
３ＤＴ  ３ＤＨの頂部
４  仕切壁
４Ｔ  仕切壁４
５  仕切壁
６  底部
２１  収納部
２２  蓋
Ａ 断面
Ｂ 断面  
Ｃ  左板部
a  上板部
ｂ  底板部
ｃ  左板部
ｄ  右板部
Ｐ１シート状の物品
Ｐ２シート状の物品
Ｐ３シート状の物品
【図１】
0005672423.tif 000002
【図２】
0005672423.tif 000003
【図３】
0005672423.tif 000004
【図４】
0005672423.tif 000005
【図５】
0005672423.tif 000006
【図６】
0005672423.tif 000007
【図７】
0005672423.tif 000008
【図８】
0005672423.tif 000009
【図９】
0005672423.tif 000010
【図１０】
0005672423.tif 000011
【図１１】
0005672423.tif 000012
【図１２】
0005672423.tif 000013
【図１３】
0005672423.tif 000014